(57)【要約】【課題】操作部及びヒンジを備える表示器の操作時の安定性の確保しつつ、表示器の向きを変更する動作の操作性を向上させることができる遊技媒体貸出装置を提供すること。【解決手段】メダルを用いて遊技を行うスロットマシンに隣接して設置され、メダルを貸し出すメダル貸出装置１において、メダル貸出装置本体９と、情報を表示する表示画面２１と、操作を受け付ける操作部２１ａと、を表面に備える表示器２０と、メダル貸出装置本体９の正面に対し表示器２０を少なくとも左右方向に回動可能、且つ、任意の回動角度で停止可能に連結し、表示器２０の裏面に回動中心が配置されるヒンジ４０と、ヒンジ４０と筐体との間の接続を中継するヒンジ固定板４５と、を備え、ヒンジ固定板４５は、ヒンジに取着される基片４５ａと、筐体の側面に取着される取着片４５ｃを備える。【選択図】図１０
2018175983.tif 000002
【特許請求の範囲】
【請求項１】
遊技媒体を用いて遊技を行う遊技機に隣接して設置され、遊技媒体を貸し出す遊技媒体貸出装置において、
遊技媒体貸出装置本体と、
情報を表示する表示部と、操作を受け付ける操作部と、を表面に備える表示器と、
上記遊技媒体貸出装置本体の正面に対し上記表示器を少なくとも左右方向に回動可能、且つ、任意の回動角度で停止可能に連結し、上記表示器の裏面に回動中心が配置されるヒンジと、
上記ヒンジと筐体との間の接続を中継するヒンジ固定板と、を備え、
上記ヒンジ固定板は、上記ヒンジに取着される基片と、上記筐体の側面に取着される取着片を備える、ことを特徴とする遊技媒体貸出装置。
【請求項２】
請求項１記載の遊技媒体貸出装置において、
上記遊技媒体貸出装置本体の正面板には、上記表示器が左右方向に回動する際に上記表示器の一部を収容する逃げ溝が形成される、ことを特徴とする遊技媒体貸出装置。
【請求項３】
請求項２記載の遊技媒体貸出装置において、
上記ヒンジ固定板は、上記逃げ溝に形成された開口部に挿通された状態で上記筐体に固定してなる、ことを特徴とする遊技媒体貸出装置。
【請求項４】
請求項１ないし３のいずれか１項に記載の遊技媒体貸出装置において、
上記ヒンジ固定板における上記取着片には位置決め凸部が設けられ、上記位置決め凸部を、上記筐体に設けられる凹状又は孔状の位置決め嵌合部に嵌合してなる、ことを特徴とする遊技媒体貸出装置。
【発明の詳細な説明】
【技術分野】
【０００１】
本発明は、遊技機例えばスロットマシンやパチンコ機等が設置されている遊技場において、遊技媒体例えばメダルや遊技球等を貸し出す遊技媒体貸出装置に関する。
【背景技術】
【０００２】
遊技ホールは、所定のエリアに遊技機であるスロットマシンを複数台横並びに配列した遊技機島を備えている。通常、スロットマシンには、各スロットマシン毎にメダル貸出装置が隣接して配設され、投入された貨幣の額に応じたメダルがメダル貸出装置からスロットマシンに払い出される。メダル貸出装置から払い出されたメダルをスロットマシンに投入すると遊技が開始され、遊技の結果、例えば複数列のリールの図柄が予め入賞設定された組み合わせとなったときに、相応する枚数のメダルが配当として支払われる仕組みとなっている。
【０００３】
このメダル貸出装置には表示装置例えば液晶モニタが備えられ、液晶モニタに払い出しメダル数や獲得メダル数等の所定の遊技情報を表示することができる。この液晶モニタには、表示機能のみならず操作機能例えばメダル貸出装置を操作するための操作ボタンやタッチパネル等を備えるものがある。
【０００４】
このようなメダル貸出装置に備えられる表示装置に関する技術として、遊技台に隣接配置される遊技台用台間機であって、台間機本体と、遊技台でプレイする遊技者に情報を表示する液晶表示器とを備え、液晶表示器の表示画面の向きを左右方向に変更可能とする技術が開示されている（特許文献１）。特許文献１に記載のものは、液晶表示器が側面に配置された垂直軸を中心として左右方向に回動可能な状態で配設されている。
【０００５】
また、島設備の隣接する遊技機間に設置される装置本体と、装置本体に配設されると共に、所定の画像表示を行い得る表示画面を有した液晶ユニットと、を具備した台間表示装置において、装置本体から突出した液晶ユニットの表示画面の向きが任意調整可能とする技術が開示されている（特許文献２）。特許文献２に記載のものは、液晶ユニットの一側面に孔部を備える膨出部を一体形成し、この孔部に軸部材を挿通させ固定側ユニットと連結する。ユーザは手動で液晶ユニットを揺動操作すれば、表示画面の左右の向きが任意に調整することができる。
【先行技術文献】
【特許文献】
【０００６】
【特許文献１】特開２０１６−１３２４８号公報
【特許文献２】特開２０１２−７０９６１号公報
【発明の概要】
【発明が解決しようとする課題】
【０００７】
しかし、特許文献１，２に記載のものは、液晶表示器や液晶ユニットの一側面を片持支持する構造であるため、情報を表示する表示機能を発揮するために使用する際に問題は生じないが、操作機能例えばメダル貸出装置を操作するための操作ボタンやタッチパネルを付与した場合には、操作ボタンやタッチパネルのタッチ操作の押力による揺動・回動の発生を防止するのが困難であり、操作時の安定性を確保するのは容易ではない。
【０００８】
本発明はこのような事情の下になされたものであり、その目的は操作部及び回動機構を備える表示器の操作時の安定性の確保しつつ、表示器の向きを変更する動作の操作性を向上させることができる遊技媒体貸出装置を提供することにある。
【課題を解決するための手段】
【０００９】
上記課題を解決するために、本発明に係る遊技媒体貸出装置は、遊技媒体を用いて遊技を行う遊技機に隣接して設置され、遊技媒体を貸し出す遊技媒体貸出装置において、遊技媒体貸出装置本体と、情報を表示する表示部と、操作を受け付ける操作部と、を表面に備える表示器と、上記遊技媒体貸出装置本体の正面に対し上記表示器を少なくとも左右方向に回動可能、且つ、任意の回動角度で停止可能に連結し、上記表示器の裏面に回動中心が配置されるヒンジと、上記ヒンジと筐体との間の接続を中継するヒンジ固定板と、を備え、上記ヒンジ固定板は、上記ヒンジに取着される基片と、上記筐体の側面に取着される取着片を備える、ことを特徴とする。
【００１０】
このようにヒンジの回動中心を表示器の裏面に配置する構造とすることにより、ユーザが表示器の表面に配置される操作部に押力を加えた際のヒンジに加えられるトルクを小さくすることができる。これにより、操作時における表示器の揺動・回動の発生を抑制しつつ、表示器の向きを変更する動作の操作性を向上させることができる。
【００１１】
この場合、上記遊技媒体貸出装置本体の正面板には、上記表示器が左右方向に回動する際に上記表示器の一部を収容する逃げ溝が形成されることが好ましい。
【００１２】
このように遊技媒体貸出装置本体の正面板に逃げ溝を形成することによって、表示器の左右方向の回動範囲を広くすることができる。
【００１３】
この場合、上記ヒンジ固定板は、上記逃げ溝に形成された開口部に挿通された状態で上記筐体に固定してなることが好ましい。
【００１４】
このように構成することによって、表示器と遊技媒体貸出装置本体との取着を容易にすることができる。
【００１５】
この場合、上記ヒンジ固定板における上記取着片には位置決め凸部が設けられ、上記位置決め凸部を上記筐体に設けられる凹状又は孔状の位置決め嵌合部に嵌合してなることが好ましい。
【００１６】
このように構成することによって、ヒンジ固定板と遊技媒体貸出装置本体との取着を容易にすることができる。
【発明の効果】
【００１７】
本発明の遊技媒体貸出装置によれば、ユーザが表示器の表面に配置される操作部に押力を加えた際のヒンジに加えられるトルクを小さくすることができる。これにより表示器の揺動・回動の発生を抑制して表示器の操作時の安定性を確保しつつ、表示器の向きを変更する動作の操作性を向上させることができる。
【図面の簡単な説明】
【００１８】
【図１】この発明に係るメダル貸出装置とスロットマシンとを示す正面図である。
【図２】上記メダル貸出装置の正面図（ａ），右側面図（ｂ）である。
【図３】図２のＸ部概略拡大図である。
【図４】図３のα−α線に沿う概略断面図である。
【図５】表示器にヒンジ及びヒンジ固定板を取り付けた状態を示す斜視図である。
【図６】ヒンジ固定板の後方斜視図（ａ），前方斜視図（ｂ）である。
【図７】制御部アッセンブリと表示器を示す前方斜視図である。
【図８】制御部アッセンブリに表示器を取り付けた状態を示す後方概略斜視図である。
【図９】図７のＹ部概略拡大図である。
【図１０】図８のＺ部概略拡大図である。
【図１１】表示器を回動させていない状態を示す図３のα−α線に沿う概略断面図（ａ），表示器を回動させた状態を示す図３のα−α線に沿う概略断面図（ｂ），更に表示器を回動させた状態を示す図３のα−α線に沿う概略断面図（ｃ）である。
【発明を実施するための形態】
【００１９】
以下、本発明に係る遊技媒体貸出装置について、図面を参照して説明する。ここでは、遊技機であるスロットマシン２に、この発明に係る遊技媒体貸出装置であるメダル貸出装置１を隣接して設置した場合について説明する。
【００２０】
図１で示すように、スロットマシン２はメダル貸出装置１の左側に隣接して配置されている。スロットマシン２は、遊技者（ユーザ）が遊技媒体としてのメダルを用いて遊技を行うものである。このスロットマシン２は、正面に表面窓４と、表面窓４から視認できるリール（図示せず）の回転を開始するためのレバー５と、回転した３列のリールを停止するための３個のストップボタン６とを有する操作手段を備える。更に、スロットマシン２は、正面にメダルを投入する投入口７及びメダルの受け皿であるトレー３が設けられている。ユーザは、投入口７に対してメダルを投入し、レバー５及びストップボタン６を操作して表面窓４から見えるリールの回転／停止を行う。この操作の結果、３列のリールの図柄が予め入賞設定された組み合わせとなったときに、相応する枚数のメダルをトレー３に払い出す。なお、この発明における左右方向，正面背面方向は図２（ａ）（ｂ）にて矢印で示す方向である。
【００２１】
メダル貸出装置１はスロットマシン２の右側に隣接して配置されている（図１参照）。メダル貸出装置１は、ユーザの所定の操作、例えばユーザの貨幣投入口５８への貨幣の投入や、ユーザの操作部２１ａへの操作に応じて、所定数のメダルをノズルシュート１０を介してスロットマシン２のトレー３内に貸し出すものである。図２（ａ）（ｂ），図３で示すように、メダル貸出装置１は、メダル貸出装置本体９と、情報を表示する表示部である表示画面２１及び操作を受け付ける操作部２１ａとを表面に備える表示器２０と、メダル貸出装置本体９の正面に対し表示器２０を少なくとも左右方向に回動可能、且つ、任意の回動角度で停止可能に連結する回動機構であるヒンジ４０と、で主に構成されている。
【００２２】
メダル貸出装置本体９は、図２（ａ）（ｂ）で示すように、外観が縦長直方体形状であってメダル貸出装置１の各構成部を収納する本体筐体５０と、メダル貸出装置１の各構成部の各種制御を行う制御部１００と、本体筐体５０の正面から膨出して設けられ、本体筐体５０外に払い出されたメダルをトレー３に誘導するノズルシュート１０と、で主に構成されている。
【００２３】
本体筐体５０は、図２（ａ）（ｂ）で示すように、矩形状の底板５１と、底板５１の左右の２辺に垂直に立設される側板５２，５３と、背面側に立設される背面板５４と、上部開口を塞ぐ天井板５５と、正面側の開口を塞ぐ複数の正面板ピース（第１の正面板６１，第２の正面板６２，第３の正面板６３，第４の正面板６４）により構成される正面板６０と、で主に構成されている。また、図２（ｂ）で示すように、本体筐体５０の内部は、上から順に、ビルバリ収納部５７ａと、制御部収納部５７ｂと、メダル補充部５７ｃと、払出ホッパ収容部５７ｄと、計数ホッパ収納部５７ｅと、に仕切られている。
【００２４】
ビルバリ収納部５７ａは、ユーザが投入する貨幣を識別するビルバリ（貨幣識別装置）（図示せず）を収納する部位である。図２（ａ）（ｂ）で示すように、ビルバリ収納部５７ａは、手前側の開口部が第１の正面板６１によって塞がれている。第１の正面板６１には、ユーザによって投入される貨幣の投入口である貨幣投入口５８が形成されている。
【００２５】
制御部収納部５７ｂは、図２（ｂ）で示すように、メダル貸出装置１における各種制御を行う制御部１００を収納する部位である。制御部１００は、例えば、ＣＰＵ等のマイクロプロセッサとその周辺回路を有する演算処理部を備えたコンピュータにより構成され、後述する表示器２０を表示制御するための実行用プログラム等を格納するプログラム格納部（図示せず）と、設定された表示器２０の表示態様のデータ等を記憶するための記憶部（図示せず）と、例えば表示器２０の表示態様等を設定可能な設定部（図示せず）とを備えている。
【００２６】
また、制御部１００は、表示器２０，ビルバリ，メダル補充部，払出ホッパ，計数ホッパ，スロットマシン２の各構成部等と電気的に接続されており、各構成部等から送信された信号等に基づいて上述したプログラムを実行して各構成部等を制御し、メダル払出動作，メダル計数動作，表示動作等が行われるようになっている。
【００２７】
このように構成される制御部１００は、図４，７，８で示すように、金属製の筐体１０１内に収納されており、正面側の開口を塞ぐ第２の正面板６２と制御部アッセンブリ１０２を構成している。
【００２８】
制御部アッセンブリ１０２を構成する第２の正面板６２には、各種ユーザインターフェイスが配置される。図３で示すように、上部区画に非接触のＩＣカードを読み取るためのカードリーダ６２ａが配置され、左区画には上から順に店員を呼び出すための呼び出しボタン６２ｂと、ユーザに関する情報と関連づけられた固有の識別情報、又はカード固有の識別情報が記憶されたカードが挿入されるカード挿入口６２ｃと、カード挿入口６２ｃの右隣に配置されるカード返却ボタンと６２ｄ、メダルの貸し出しボタン６２ｅと，メダルの払い出しボタン６２ｆと、ＵＳＢコネクタ６２ｇと、が配置されている。
【００２９】
また、第２の正面板６２の右区画には、図４，７で示すように、上下方向に凹条が形成されており、この凹条は後述する表示器２０が左右方向に回動する際に表示器２０の一部を収容する逃げ溝６２ｈとして機能する。逃げ溝６２ｈ内の右側の傾斜している壁は、表示器２０の裏面と当接して表示器２０の回動範囲を規制する、左向きの係止部６２ｉとして機能する。左向きの係止部６２ｉを設けることにより、表示器２０の左方向への過度の回動を規制することができる。
【００３０】
逃げ溝６２ｈには、図７で示すように、後述するヒンジ固定板４５が挿通される第１の開口部６２ｊと、制御部１００と表示器２０の裏面を繋ぐケーブルが挿通される第２の開口部６２ｋが開設されている。逃げ溝６２ｈにおいて、ヒンジ４０の回動軸の近傍に、第１の開口部６２ｊと第２の開口部６２ｋを形成することにより、外部からヒンジ４０やケーブルが見えなくなるためメダル貸出装置１のデザイン性を向上することができる。また、図７，９で示すように、第１の開口部６２ｊの奥側には制御部１００の筐体１０１が配設されており、筐体１０１にはスリット孔状の位置決め嵌合部１０１ａが形成されている。
【００３１】
メダル補充部５７ｃは、払出ホッパ（図示せず）の払出貯留部（図示せず）に補充するメダルを通す部位である。図２（ａ）（ｂ）で示すように、メダル補充部５７ｃの手前側の開口は第３の正面板６３で塞がれている。
【００３２】
払出ホッパ収納部５７ｄは、所定数のメダルを払い出す払出ホッパを収納する部位である。図２（ａ）（ｂ）で示すように、払出ホッパ収納部５７ｄの手前側の開口部は、ノズルシュート１０に固定された第４の正面板６４で塞がれている。
【００３３】
計数ホッパ収納部５７ｅは、ノズルシュート１０の計数メダル受皿内（図示せず）に投入されたメダルを計数する計数ホッパ（図示せず）を収納する部位である。図２（ａ）（ｂ）で示すように、計数ホッパ収納部５７ｅの手前側の開口部は、ノズルシュート１０に固定された第４の正面板６４で塞がれている。
【００３４】
ノズルシュート１０は、図１，２で示すように、本体筐体５０の正面下部から前方に膨出して設けられており、払出ホッパから払い出されたメダルをトレー３に誘導する。図２（ａ）（ｂ）で示すように、ノズルシュート１０は、第４の正面板６４に固定されてアッセンブリ化されており、ノズルシュート１０とアッセンブリ化した第４の正面板６４を本体筐体５０の開口に係止して装着することができる。
【００３５】
表示器２０は、図３，４で示すように、この発明における表示部となる矩形状の表示画面２１を表面に備え、この表示画面２１が略長方体状のリヤケース２２によって裏面側から保持されている。表示画面２１は、バックライト及び液晶パネル等によって主に構成されており、液晶パネルの背面方向に配置されたバックライトから照射される光が液晶パネルを透過して画像を表示することができる。表示器２０は、制御部１００からの制御信号に基づいて表示画面２１に種々の画像を表示することができる。
【００３６】
また、表示画面２１には、上層にタッチパネルが重ねて配置されており、表示画面２１上のいずれの部位にも操作部２１ａを表示させることができる。例えば、図３で示すように、表示画面２１上に表示されたスクウェア状の模様で囲まれたＡ〜Ｆが表示されたタッチボタン及び略楕円形の模様で囲まれた終了ボタンが、操作部２１ａとして表示されている。ユーザは、指先を用いて表示画面２１上に表示された操作部２１ａに押力を加えることにより操作することができる。制御部１００は、ユーザの操作部２１ａの操作内容及び表示画面２１の表示内容に従ってメダル貸出装置１を構成する各構成部等を制御する。このように構成することにより、操作部２１ａを表示器２０の表面に配置することができると共に、表示画面２１を操作部２１ａと一体となったタッチパネルとすることができる。
【００３７】
表示器２０の裏面すなわちリヤケース２２の裏面には、図４，５で示すように、上下方向に凸条が形成されており、この凸条は表示器２０の回動を規制する右向きの係止部２４として機能する。右向きの係止部２４は、図１１（ａ）〜（ｃ）で示すように、表示器２０をメダル貸出装置本体９の前面と略平行に回動させた際に、第２の正面板６２の前面の一部と当接して表示器２０の右側への過度の回動を規制することができる。
【００３８】
ヒンジ４０は、図５で示すように、円柱状のシャフト４１と、シャフト４１を回動軸として回動可能に取り付けられた第１のヒンジピース４２と、シャフト４１を回動軸として回動可能に取り付けられた第２のヒンジピース４３と、で主に構成されている。ヒンジ４０は、第１のヒンジピース４２と第２のヒンジピース４３との間の摩擦により任意の回動角度で停止可能とするフリーストップヒンジである。
【００３９】
ヒンジ４０は、表示器２０の表面に対し６Ｎ以下のいずれかの押力が作用した場合に第１のヒンジピース４２と第２のヒンジピース４３との間の摩擦力により揺動・回動不能となる保持力を備えている。タッチパネルの操作部２１ａを操作するのに必要な押力は通常１Ｎ程度であるので、その操作部２１ａにおいて２Ｎ以上の保持力があれば、表示器２０が回動することなくタッチパネルの操作を行うことが可能となる。なお、場合によってはユーザは２〜５Ｎの押力でタッチパネルを操作することもあるので、表示器２０の表面に対し６Ｎ以下の押力が作用した場合に回動不能になるようにヒンジ４０を構成することが、より好ましい。例えば、操作部２１ａの位置がヒンジ４０の回動中心から５０ｍｍ離れた位置に存在している状態で、その操作部２１ａの位置における保持力を２Ｎに設定する場合には、保持トルクが０．１Ｎ・ｍのヒンジ４０を用いることで達成することができる。同様に、その操作部２１ａの位置における保持力を６Ｎに設定する場合には、保持トルクが０．３Ｎ・ｍのヒンジ４０を用いることで達成することができる。なお、一般的な物性として、摩擦係数が低い程、動摩擦係数と静止摩擦係数との差が少ない傾向がある。従って、保持トルクが少ないヒンジ４０である程、保持力と回動状態において必要な回動力との差を少なくすることができるので、表示器２０の向き加減の調節を行い易くすることができる。図５、図１１に示すように、ヒンジ４０の回動中心を表示器２０の裏面に配置する構造を用いることにより、ユーザが操作部２１ａに押力を加えた際における回動機構に加わるトルクを小さくすることができるので、保持トルクが小さいヒンジ４０を用いることができる。これにより、操作時における表示器２０の不要な揺動・回動の発生を抑制しつつ、表示器２０の向きを変更する動作の操作性を向上させることができる。
【００４０】
ヒンジ４０は、図５で示すように、第１のヒンジピース４２が、表示器２０の裏面に配置されるリヤケース２２にねじ止めにより取着されている。このように構成することによって、ヒンジ４０を表示器２０の裏面に固定することができる。更に、図３で示すように、ヒンジ４０のシャフト４１が、リヤケース２２の略中央付近に配置されるように取着されている。表示器２０の表面における略中央付近には、操作部２１ａをいずれの部位にも表示可能な表示画面２１が配置されている。このように構成することで、ヒンジ４０の回動中心を操作部２１ａの操作範囲の裏面に配置することができる。
【００４１】
ヒンジ固定板４５は、ヒンジ４０と筐体１０１との間の接続を中継する部材であり、筐体１０１に対する表示器２０の取着を容易にするための部材である。ヒンジ４０は、図５で示すように、第２のヒンジピース４３が、ヒンジ固定板４５の一端にねじ止めして締結されている。ヒンジ固定板４５は、図６で示すように、第２のヒンジピース４３に取着される矩形状の基片４５ａと、基片４５ａの一の側辺から右方向に設けられ、表示器２０を制御部１００の筐体１０１に取付た際に第１の開口部６２ｊを塞ぐ矩形状の閉塞片４５ｂと、基片４５ａにおける閉塞片４５ｂが設けられた側辺と対向する側辺から左斜め方向に設けられると共に制御部１００の筐体１０１にねじ止めされる矩形状の取着片４５ｃと、取着片４５ｃにおいて基片４５ａが設けられた側辺と対向する側辺の中央付近から突出する位置決め凸部４５ｄと、で主に構成されている。
【００４２】
上記のように構成される制御アッセンブリ１０２に対して表示器２０の取着を行う際には、図７で示すように、先ず第２の正面板６２に形成された第２の開口部６２ｋから引き出されたケーブルを表示器２０の裏面に設けられたコネクタ２３（図５参照）に接続する。次いで、表示器２０にヒンジ４０を介して締結されたヒンジ固定板４５を第２の正面板６２に形成された第１の開口部６２ｊに挿入して、図８，１０で示すように、ヒンジ固定板４５の先端に設けられた位置決め凸部４５ｄを制御部１００の筐体１０１に設けられた位置決め嵌合部１０１ａに嵌合させる。次いで、制御部１００の筐体１０１の外側からヒンジ固定板４５の取着片４５ｃと制御部１００の筐体１０１とをねじ止めする。
【００４３】
このようにして表示器２０が連結された制御アッセンブリ１０２を本体筐体５０内に挿入すると、本体筐体５０内に配置されているプラグコネクタにレセプタクルコネクタ１０３（図８参照）が嵌合して接続される。同時に、第２の正面板５６ｄの係止爪６２ｍが、筐体５０の開口に設けられた側板５２，５３の曲げ部に係止して、本体筐体５０に対する制御アッセンブリ１０２の装着が完了する（図４参照）。
【００４４】
ユーザがスロットマシン２において遊技を開始し、メダル貸出装置１のカード挿入口６２ｃにカードが挿入すると、制御部１００は、表示器２０に対し例えば図３に示すような画像を表示画面２１に表示させる。ユーザは、図１１（ａ）〜（ｃ）で示すように、表示器２０に６Ｎより大きい引張力又は押力（例えば１０Ｎ）を加えて表示画面２１を右向き又は左向きに回動させて、表示画面２１の向きをユーザ側に向くように調節することができる。
【００４５】
表示器２０は、図１１（ｃ）で示すように、表示器２０の裏面が、逃げ溝６２ｈ内に形成された左向きの係止部６２ｉに当接して係止することにより、第２の正面板６２に対して最大７０度の回動範囲が、左方向に確保されるように構成されている。一方で、表示器２０は、図１１（ａ）で示すように、表示器２０の裏面に形成されている右向きの係止部２４が、第２の正面板６２の前面の一部と当接して係止することにより、第２の正面板６２に対し最大０度の回動が右方向にできるように構成されている。
【００４６】
ユーザが、表示器２０に１０Ｎの引張力を加えて表示画面２１の向きをユーザ方向に回動させて、ユーザは一番見やすい角度例えば図１１（ｃ）の７０度の回動角度で回動を停止すると、図３に示す表示画面２１の画像を視認することができる。ユーザは、指先を用いて表示画面２１上に表示された操作部２１ａ、例えばＢボタンに、例えば１Ｎの押力を加えることにより操作部２１ａを操作することができる。制御部１００は、操作部２１ａのＢボタンに押力を加える操作及び表示画面２１の表示画像に従って、例えば計数ホッパに対しメダルの計数を開始させる制御を行うと共に表示器２０に対し他の画像、例えば計数メダル数の画像（図示せず）を表示画面２１に表示させる制御を行う。
【００４７】
ユーザが、操作部２１ａのＢボタンに一般的な押力を加えて操作をする際には、表示器２０に揺動・回動が発生しなない。なぜならば、ヒンジ４０の回動中心を表示器２０の裏面に配置する構造を採用することにより、ユーザが表示器２０の表面に配置される操作部２１ａに押力を加えた際のヒンジ４０に加えられるトルクを小さくして、表示器２０の揺動・回動の発生を抑制することができるからである。
【００４８】
また、ヒンジ４０の回動中心を操作部２１ａにおける操作範囲の裏面の部位に配置する構造を採用することにより、ユーザが表示器２０の表面に配置される操作部２１ａに押力を加えた際の回動機構に加えられるトルクを更に小さくして、表示器２０の揺動・回動の発生を抑制することができる。
【００４９】
また、表示器２０の表面に対し６Ｎ以下のいずれかの押力が作用した場合に、第１のヒンジピース４２と第２のヒンジピース４３との間の摩擦により回動不能に構成されているので、操作部２１ａを操作可能な押力（例えば１〜５Ｎ）で操作部２１ａに押力を加えても、表示器２０が揺動・回動しない。
【００５０】
このメダル貸出装置１によれば、ユーザが表示器２０の表面に配置される操作部２１ａに押力を加えた際のヒンジ４０に加えられるトルクを小さくすることができる。これにより表示器２０の揺動・回動の発生を抑制して表示器２０の操作時の安定性を確保しつつ、表示器２０の向きを変更する動作の操作性を向上させることができる。
【００５１】
なお、上述した実施形態において、回動機構としてヒンジ４０を用いたが、回動機構は、メダル貸出装置本体９の正面に対し表示器２０を少なくとも左右方向に回動可能、且つ、任意の回動角度で停止可能に連結するものであればよく、例えば第２の正面板６２からボールジョイントを突出して設け、メダル貸出装置本体９の正面に対し表示器２０を左右及び上下方向に回動可能、且つ、任意の回動角度で停止可能に連結してもよい。
【００５２】
また、上述した実施形態において、表示器２０は表示画面２１と操作部２１ａが一体となったタッチパネルを設けたが、表示器２０は表示画面２１と操作部２１ａを表面に備えればよく、例えば表示画面２１と表示画面２１の周囲に設けられたスイッチボタン式操作部であってもよい。
【００５３】
本発明は上記の実施形態及び実施例の例示に限定されるものでなく、特許請求の範囲の技術的範囲には、発明の要旨を逸脱しない範囲内で種々、設計変更した形態が含まれる。
【符号の説明】
【００５４】
１  メダル貸出装置（遊技媒体貸出装置）
２  スロットマシン（遊技機）
９  メダル貸出装置本体（遊技媒体貸出装置本体）
２０  表示器
２１  表示画面（表示部）
２１ａ  操作部
４０  ヒンジ
４５  ヒンジ固定板
４５ｄ  位置決め凸部
６０  正面板
６２  第２の正面板（正面板ピース）
６２ｈ  逃げ溝
６２ｉ  左向きの係止部（係止部）
６２ｊ  第１の開口部（開口部）
１００  制御部
１０１  筐体
１０２  制御部アッセンブリ
１０１ａ  位置決め嵌合部
【図１】
2018175983.tif 000003
【図２】
2018175983.tif 000004
【図３】
2018175983.tif 000005
【図４】
2018175983.tif 000006
【図５】
2018175983.tif 000007
【図６】
2018175983.tif 000008
【図７】
2018175983.tif 000009
【図８】
2018175983.tif 000010
【図９】
2018175983.tif 000011
【図１０】
2018175983.tif 000012
【図１１】
2018175983.tif 000013
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行う遊技機に隣接して設置され、遊技媒体を貸し出す遊技媒体貸出装置において、
遊技媒体貸出装置本体と、
情報を表示する表示部と、操作を受け付ける操作部と、を表面に備える表示器と、
上記遊技媒体貸出装置本体の正面に対し上記表示器を少なくとも左右方向に回動可能、且つ、任意の回動角度で停止可能に連結する回動機構と、を備え、
上記回動機構は、回動中心軸を上記操作部における操作範囲の裏面に有するヒンジであり、
上記ヒンジを筐体に取着する取着片を更に備え、
上記取着片は、上記筐体における側面に固定してなる、ことを特徴とする遊技媒体貸出装置。
【請求項２】
請求項１記載の遊技媒体貸出装置において、
上記取着片は、上記筐体の外側からねじ止めされ、上記表示部を上記筐体の外側から装着又は脱着することが可能である、ことを特徴とする遊技媒体貸出装置。
【請求項３】
請求項１又は２記載の遊技媒体貸出装置において、
上記遊技媒体貸出装置本体の正面板には、上記表示器が左右方向に回動する際に上記表示器の一部を収容する逃げ溝が形成される、ことを特徴とする遊技媒体貸出装置。
【請求項４】
請求項３記載の遊技媒体貸出装置において、
上記取着片は、上記逃げ溝に形成された開口部に挿通された状態で上記筐体に固定してなる、ことを特徴とする遊技媒体貸出装置。
【請求項５】
請求項４記載の遊技媒体貸出装置において、
上記取着片における上記筐体側の部位には位置決め凸部が設けられ、上記位置決め凸部を、上記筐体に設けられる凹状又は孔状の位置決め嵌合部に嵌合してなる、ことを特徴とする遊技媒体貸出装置。
【請求項６】
請求項１乃至５に記載の遊技媒体貸出装置において、
上記ヒンジは、円柱状のシャフトと、上記シャフトを回動軸として回動可能に取り付けられ、上記表示器を保持する第１のヒンジピースと、上記シャフトを回動軸として回動可能に取り付けられ、筐体側に取着する第２のヒンジピースと、上記第１のヒンジピースと上記第２のヒンジピースとの間に配置されるブッシュとから構成される、ことを特徴とする遊技媒体貸出装置。
【手続補正２】
【補正対象書類名】明細書
【補正対象項目名】０００９
【補正方法】変更
【補正の内容】
【０００９】
上記課題を解決するために、本発明に係る遊技媒体貸出装置は、遊技媒体を用いて遊技を行う遊技機に隣接して設置され、遊技媒体を貸し出す遊技媒体貸出装置において、遊技媒体貸出装置本体と、情報を表示する表示部と、操作を受け付ける操作部と、を表面に備える表示器と、上記遊技媒体貸出装置本体の正面に対し上記表示器を少なくとも左右方向に回動可能、且つ、任意の回動角度で停止可能に連結する回動機構と、を備え、上記回動機構は、回動中心軸を上記操作部における操作範囲の裏面に有するヒンジであり、上記ヒンジを筐体に取着する取着片を更に備え、上記取着片は、上記筐体における側面に固定してなる、ことを特徴とする。
【手続補正３】
【補正対象書類名】明細書
【補正対象項目名】００１１
【補正方法】変更
【補正の内容】
【００１１】
この場合、上記取着片は、上記筐体の外側からねじ止めされ、上記表示部を上記筐体の外側から装着又は脱着することが可能であることが好ましい。
この場合、上記遊技媒体貸出装置本体の正面板には、上記表示器が左右方向に回動する際に上記表示器の一部を収容する逃げ溝が形成されることが好ましい。
【手続補正４】
【補正対象書類名】明細書
【補正対象項目名】００１３
【補正方法】変更
【補正の内容】
【００１３】
この場合、上記取着片は、上記逃げ溝に形成された開口部に挿通された状態で上記筐体に固定してなることが好ましい。
【手続補正５】
【補正対象書類名】明細書
【補正対象項目名】００１５
【補正方法】変更
【補正の内容】
【００１５】
この場合、上記取着片における上記筐体側の部位には位置決め凸部が設けられ、上記位置決め凸部を上記筐体に設けられる凹状又は孔状の位置決め嵌合部に嵌合してなることが好ましい。
【手続補正６】
【補正対象書類名】明細書
【補正対象項目名】００１６
【補正方法】変更
【補正の内容】
【００１６】
このように構成することによって、ヒンジ固定板と遊技媒体貸出装置本体との取着を容易にすることができる。
この場合、上記ヒンジは、円柱状のシャフトと、上記シャフトを回動軸として回動可能に取り付けられ、上記表示器を保持する第１のヒンジピースと、上記シャフトを回動軸として回動可能に取り付けられ、筐体側に取着する第２のヒンジピースと、上記第１のヒンジピースと上記第２のヒンジピースとの間に配置されるブッシュとから構成されることが好ましい。
【手続補正７】
【補正対象書類名】明細書
【補正対象項目名】００３８
【補正方法】変更
【補正の内容】
【００３８】
ヒンジ４０は、図５で示すように、円柱状のシャフト４１と、シャフト４１を回動軸として回動可能に取り付けられた第１のヒンジピース４２と、シャフト４１を回動軸として回動可能に取り付けられた第２のヒンジピース４３と、第１のヒンジピース４２と第２のヒンジピース４３との間に配置されるブッシュ４４と、で主に構成されている。ヒンジ４０は、第１のヒンジピース４２と第２のヒンジピース４３との間の摩擦により任意の回動角度で停止可能とするフリーストップヒンジである。
【手続補正８】
【補正対象書類名】図面
【補正対象項目名】図５
【補正方法】変更
【補正の内容】
【図５】
2018175983.tif 000014